(57)【要約】【課題】  本発明はＡＤＦの開放時に原稿積載トレイのスウィングを防止し、また原稿積載トレイ閉時には確実に所定位置に装着されＡＤＦの給紙搬送性に影響を及ぼさない、自動原稿給送装置のトレイラッチ機構を実現すること。【解決手段】  ＡＤＦを画像読取装置本体に対し開放するときにのみ原稿載置トレイがＡＤＦ本体に対し係合するように、重力を利用したラッチ部材が原稿載置トレイ側に、またはＡＤＦ本体側に設けた。【選択図】  図１
2007028515.tif 000002
【特許請求の範囲】
【請求項１】
原稿圧板を兼ねた画像読取装置の自動原稿給送装置であり、また該自動原稿給送装置の原稿載置トレイはジャム処理などのために自動原稿給送装置本体に対し開閉可能に構成された自動原稿給送装置を有する画像読取装置において、
自動原稿給送装置を画像読取装置本体に対し開放するときにのみ前記原稿載置トレイが自動原稿給送装置本体に対し係合するように、重力を利用したラッチ部材が原稿載置トレイ側に設けられていることを特徴とする自動原稿給送装置のトレイラッチ機構。
【請求項２】
原稿圧板を兼ねた画像読取装置の自動原稿給送装置であり、また該自動原稿給送装置の原稿載置トレイはジャム処理などのために自動原稿給送装置本体に対し開閉可能に構成された自動原稿給送装置を有する画像読取装置において、
自動原稿給送装置を画像読取装置本体に対し開放するときにのみ自動原稿給送装置本体から前記原稿載置トレイに対し係合するように、重力を利用したラッチ部材が自動原稿給送装置本体側に設けられていることを特徴とする自動原稿給送装置のトレイラッチ機構。
【発明の詳細な説明】
【技術分野】
【０００１】
本発明は複写機や画像入力部を有するプリンタなどの自動原稿給送装置を有する画像読取装置の原稿載置トレイのラッチ機構に関する。
【背景技術】
【０００２】
画像読取装置の自動原稿給装装置（以下ADF）は、複数枚の原稿を1回のセットにより途中交換することなく読み取らせることができる便利なシステムである。一般的にはフラットベッドスキャナ部の直上に設けられ、最近では小型複写機やMFPなどにも搭載されるようになった。設置面積を少なくする上でADF搬送経路をUターンパスに形成するものが多く、その殆どが原稿積載トレイの下部が原稿排出部として構成されている。
【０００３】
図８と図９にフラットベッドスキャナ部に対するADFの開閉方向の２例を示す。図８は原稿長手方向に開閉ヒンジ部があるもので、奥行きを短く取れることが特徴である。図９は原稿短手方向にヒンジ部を有するものである。２例ともにフラットベッドスキャナ部を使用する場合、原稿あるいは被読取物を原稿台にセットするためにADFを略90°前後にまで開放する必要がある。
【０００４】
一方、ADFは先述のようにUターンパスを構成するとした場合で説明を進める。ジャム処理やあるいは小サイズ紙の取り出しなどペーパーハンドリング性を確保するため原稿積載トレイを開閉可能に構成する必要がある。しかし不用意にADFを開放すると図10や図11のように原稿積載トレイがスウィングして外れたり、他の器物にぶつかったりして危険である。そこでこの類の原稿積載トレイには対ADF本体に対しクリック部を設けることにより不用意な開放を防止するものがあった。しかしこのクリック部はクリック力の安定的な設定が結構難しく、想定されるADFの開放時の慣性力に対応するばかりでなく、閉じるときには例えば自重程度でも確実に所定状態に装着されなければならない。なぜならば原稿積載トレイの装着角度は給紙性あるいは斜行などの搬送性に影響を及ぼすからである。
【０００５】
又、従来例としては、例えば特許文献１と特許文献２をあげることが出来る。
【特許文献１】特開平10-319650号公報
【特許文献２】特開平6-326865号公報
【発明の開示】
【発明が解決しようとする課題】
【０００６】
本発明は上記問題点に鑑み、ADFの開放時に原稿積載トレイの不用意な開放により器物の破損等を防止するため、原稿積載トレイがADF本体に対し確実に支持され、また原稿積載トレイ閉時には弱い力でも確実にADF本体の所定位置に装着されADFの給紙搬送性が確保される、自動原稿給送装置のトレイラッチ機構を実現することを目的とする。
【課題を解決するための手段】
【０００７】
本発明は上記問題点を解決するため、原稿圧板を兼ねた画像読取装置の自動原稿給送装置であり、また該自動原稿給送装置の原稿載置トレイはジャム処理などのために自動原稿給送装置本体に対し開閉可能に構成された自動原稿給送装置を有する画像読取装置において、自動原稿給送装置を画像読取装置本体に対し開放するときにのみ前記原稿載置トレイが自動原稿給送装置本体に対し係合するように、重力を利用したラッチ部材が原稿載置トレイ側に設けられているようにした。また自動原稿給送装置を画像読取装置本体に対し開放するときにのみ自動原稿給送装置本体から前記原稿載置トレイに対し係合するように、重力を利用したラッチ部材が自動原稿給送装置本体側に設けるようにもした。
【発明の効果】
【０００８】
以上説明したように原稿圧板を兼ねた画像読取装置の自動原稿給送装置であり、また該自動原稿給送装置の原稿載置トレイはジャム処理などのために自動原稿給送装置本体に対し開閉可能に構成された自動原稿給送装置を有する画像読取装置において、自動原稿給送装置を画像読取装置本体に対し開放するときにのみ前記原稿載置トレイが自動原稿給送装置本体に対し係合するように、重力を利用したラッチ部材が原稿載置トレイ側に設けられているようにした。また自動原稿給送装置を画像読取装置本体に対し開放するときにのみ自動原稿給送装置本体から前記原稿載置トレイに対し係合するように、重力を利用したラッチ部材が自動原稿給送装置本体側に設けるようにもした。
【０００９】
その結果、とても単純であり確実かつ安価な方法でADFの開放時に原稿積載トレイの不用意な開放を防ぎ、それにより周囲の器物の破損等を防止することができるようになった。一方、ADFが閉じられている場合には原稿積載トレイを容易に開放することができ、しかも原稿積載トレイ閉時にはADF本体に対し確実に所定位置に装着され、ADFの給紙搬送性を確保することができる。
【発明を実施するための最良の形態】
【００１０】
本発明に係る自動原稿給送装置を有する画像読取装置のラッチ機構の実施形態について、図を用いて説明する。
【００１１】
図１は、本実施形態に係る画像形成装置を説明する全体構成図である。
まず原稿読取機能を備えた画像形成装置について図１より説明する。
【００１２】
全体構成として画像読取装置（以下スキャナ部）50が置かれ、その上に自動原稿搬送装置（以下ADF部）30が装着される。自動原稿搬送装置は従来例図８のように長手方向の辺にヒンジ部を有するタイプをもとに説明する。
【００１３】
まずADFの構成の説明を簡単に行なう。１は原稿積載トレイ、２は原稿の側部を規制する幅規制板である。３は給紙ローラで原稿を給送するため原稿上面3´の位置まで下降して原稿のピックアップを行う。４は分離ローラで対向する分離パッド５と常に接触し摩擦分離を行ない、原稿を一枚づつ搬送する。６、６'は第一搬送ローラ対, ７、７'は第二搬送ローラ対である。またQは読取ポイントであり、ここを通過する原稿画像は原稿台ガラス51を通して読み取られる。読み取り部を通過した原稿は排紙ローラ８および排紙加圧コロ９により排紙台10に排紙される。
【００１４】
スキャナ部50には画像を読み取る光学系読取装置が設置されているがここでの説明は省略する。スキャナ部50の上面には平置きされた原稿を読み取るための原稿台ガラス51が装着され、先述のADF部30は原稿台に対してヒンジ部11、12により開閉可能に装着され、原稿抑えとしての役割を果たす。
【００１５】
ADFの原稿積載トレイ部分について更に図２により詳細説明を行う。原稿積載トレイは回転軸1aを中心に回動が可能に構成され、排出台10に排出された原稿、特に小サイズの原稿を取り出す場合や、排出部のジャム処理などの時に回動することによりハンドリングを向上させるものである。原稿積載トレイ１の裏面には係止爪13がトレイ裏面の係合軸１bを中心に回動可能に装着され、通常は自重により鉛直方向に下がっている。この係止爪13の先端のフック部13aはADF本体の一部に係合する分だけ延びているが、ADFが圧板として閉じられているときには図２のΔxだけ本体部分とクリアランスが設けられ、ADFが閉じられているときには原稿積載トレイの開閉動作上何ら支障になるものではない。しかし図３のようにADFが圧板として開放されるとき、前記係止爪13は自重により倒れ、ADF本体の一部に係合する。これにより原稿積載トレイが不用意にスウィングするのを防止することができる。
【００１６】
図４ないし図5に第二の実施例を示す。この実施例は従来例図９に見られるように原稿台短手方向にヒンジ部を有する場合の実施例である。係合軸１ｃはトレイ回動軸１aと平行に設けられており、この場合も図4のようにADFが閉じられているときにはΔｙだけ本体部分とクリアランスが設けられ、原稿積載トレイの開閉動作上何ら支障になるものではないが、図５のようにADFが圧板として開放されるとき、係止爪14は自重により倒れ、ADF本体の一部に係合し、原稿積載トレイが不用意にスウィングするのを防止できる。
【００１７】
図６ないし図7に第三の実施例を示す。この実施例は第二の実施例に見られるように原稿台短手方向にヒンジ部を有する場合の実施例であり、係止爪15がADF本体内部に仕込まれている場合の実施例である。通常ADFが閉じられているときには係止爪15はその自重バランスにより、フックと反対方向に倒れ、ADF本体内部の壁面16にもたれかかっている。原稿積載トレイ裏面より延びた係合リブ17はADF本体上面の穴18より進入しているが、開閉に支障になるものではない。しかし図７のようにADF圧板を開放するときには係止爪15は反対方向に倒れ、トレイの前記係合リブ17の係合部17aに係合する。
【００１８】
上記記載の実施例はともに係合爪の自重バランスによるものである。原稿積載トレイのより安定的な操作を実現するために、係合爪部に自重バランス動作を妨げない程度の弱いばねをかけることにより、係合爪の挙動を安定化するなどの工夫も可能である。
【図面の簡単な説明】
【００１９】
【図１】第一の実施例である装置の全体構成図
【図２】第一の実施例の要部説明図
【図３】第一の実施例の動作説明図
【図４】第二の実施例の要部説明図
【図５】第二の実施例の動作説明図
【図６】第三の実施例の要部説明図
【図７】第三の実施例の動作説明図
【図８】従来の実施例
【図９】従来の実施例
【図１０】従来の実施例の動作説明図
【図１１】従来の実施例の動作説明図
【符号の説明】
【００２０】
30  ADF本体
１  原稿積載トレイ
３  給紙ローラ
４  分離ローラ
６、６'  第一搬送ローラ対
７、７'  第二搬送ローラ対
８  排出ローラ
９  排出コロ
10  排出トレイ
13  係止爪
50  画像読取装置
51  原稿台ガラス
【図１】
2007028515.tif 000003
【図２】
2007028515.tif 000004
【図３】
2007028515.tif 000005
【図４】
2007028515.tif 000006
【図５】
2007028515.tif 000007
【図６】
2007028515.tif 000008
【図７】
2007028515.tif 000009
【図８】
2007028515.tif 000010
【図９】
2007028515.tif 000011
【図１０】
2007028515.tif 000012
【図１１】
2007028515.tif 000013